(57)【特許請求の範囲】
【請求項１】
液透過性の表面シートと、裏面シートと、前記表面シートと前記裏面シートとの間に配置され、かつ着用者の身体前側と身体後側とに延びる前後方向、前記前後方向に直交する幅方向、前記着用者に向かう内方向、及び前記内方向と反対側に向かう外方向を有する吸収体と、を備え、着用者の排尿部に当接する領域である排尿領域と、前記排尿領域よりも後方に配置され、前記着用者の臀部に当接する領域である臀部領域と、を有し、前記表面シートと前記吸収体との間に、吸収性ポリマーが液透過性シート間に挟持された吸収性シートが設けられた使い捨て着用物品であって、
前記排尿領域と前記臀部領域のうち少なくとも前記排尿領域において、前記吸収体には、前記吸収体が前記内方向に凸に曲がることができるように曲部が形成されており、
前記排尿領域には、前記吸収性シートが配置されておらず、
前記臀部領域には、前記吸収性シートが配置され、
前記曲部は、前記前後方向に沿って配置されるとともに、前記吸収性ポリマーが挟持されている前記吸収性シートの吸収性ポリマー配置領域によりも前方で終結し、
前記曲部は、さらに、前記前後方向に伸縮する曲部伸縮性部材を有して構成されていることを特徴とする使い捨て着用物品。
【請求項２】
液透過性の表面シートと、裏面シートと、前記表面シートと前記裏面シートとの間に配置され、かつ着用者の身体前側と身体後側とに延びる前後方向、前記前後方向に直交する幅方向、前記着用者に向かう内方向、及び前記内方向と反対側に向かう外方向を有する吸収体と、を備え、着用者の排尿部に当接する領域である排尿領域と、前記排尿領域よりも後方に配置され、前記着用者の臀部に当接する領域である臀部領域と、を有する使い捨て着用物品であって、
前記吸収体は、吸収性ポリマーを有する第１領域と、前記第１領域よりも前記吸収性ポリマーの目付が低い第２領域と、を有しており、
前記排尿領域と前記臀部領域のうち少なくとも前記排尿領域において、前記吸収体には、前記吸収体が前記内方向に凸に曲がることができるように曲部が形成されており、
前記排尿領域の前記吸収体には、前記第２領域が設けられており、
前記臀部領域の前記吸収体の前記表面シート側には、前記第１領域が設けられ、
前記曲部は、前記前後方向に沿って配置されるとともに、前記吸収性ポリマーが配置されている前記第１領域の吸収性ポリマー配置領域よりも前方で終結し、
前記曲部は、さらに、前記前後方向に伸縮する曲部伸縮性部材を有して構成されていることを特徴とする使い捨て着用物品。
【請求項３】
前記曲部は、前記吸収体に形成されたスリット、及び前記吸収体において周囲の目付よりも低い目付である低目付領域のうち少なくともいずれか一方によって構成される、請求項１又は請求項２に記載の使い捨て着用物品。
【請求項４】
前記臀部領域には、前記前後方向と前記幅方向のうち少なくとも前記前後方向に伸縮する臀部伸縮性部材が設けられている、請求項１から請求項３のいずれかに記載の使い捨て着用物品。
【請求項５】
前記臀部伸縮性部材は、前記着用者の脚回りに沿って配置される一対の脚回り伸縮性部材である、請求項４に記載の使い捨て着用物品。
【請求項６】
前記臀部領域には、前記着用者の腰回りに沿って配置され、前記幅方向に伸縮する腰回り弾性部材が設けられている、請求項１から請求項５のいずれかに記載の使い捨て着用物品。
【請求項７】
前記臀部領域において、複数の前記吸収性ポリマー配置領域が前記前後方向に間欠的に設けられ、前記前後方向に並ぶそれぞれの吸収性ポリマー配置領域の間に、前記吸収性ポリマーが配置されていない吸収性ポリマー非配置領域が配置されている、請求項１から請求項６のいずれかに記載の使い捨て着用物品。
【発明の詳細な説明】
【技術分野】
【０００１】
本発明は、吸収体を曲げることができる曲部を有する使い捨て着用物品に関する。
【背景技術】
【０００２】
特許文献１には、複数の吸収層を備える吸収材料が記載されている。この吸収材料は、親水性繊維材料と吸収ゲル化材料の離散粒子との混合物からなる貯蔵層と、貯蔵層と液体連通するように位置決めされた取得層と、を有する。取得層は、貯蔵層よりも表面側に配置されている。取得層は、体液を球吸収するための取得帯域と、取得帯域と液体連通するように配置され、液体を分配するための分配帯域とを備える。取得帯域によって引き込んだ体液は、分配体液によって分配され、貯蔵層に移行するように構成されている。
【先行技術文献】
【特許文献】
【０００３】
【特許文献１】特表平８−５０８６６２号公報（図２等）
【発明の概要】
【発明が解決しようとする課題】
【０００４】
しかしながら、上述した吸収材料においては、以下の問題があった。
吸収材料は、平面視にて平滑な形状であり、着用者に装着された状態に股間部に密着するための構造が設けられていないため、装着された際に、着用者に密着して配置されないおそれがある。着用者に対して吸収材料が密着して配置されないと、体液の排出速度が比較的遅い場合や着用者が横向きの場合では、体液が肌を伝って移動することがある。着用者の肌を伝って体液が移行すると、取得層の取得帯域に体液が到達せず、取得層の分配帯域に到達することがある。取得層の分配帯域は、取得帯域と比較して体液の引き込み性が低く、体液の引き込み性の低下により吸収性能が悪化するおそれがある。また、取得層の分配帯域は、取得帯域と比較して体液の引き込み性が低いため、例えば、短時間に大量の体液が排出された場合には、分配帯域を覆う表面シート上まで体液が広がるおそれがある。
【０００５】
そこで、本発明は、吸収性能を確保しつつ、着用者の股間部近傍におけるフィット性を高めて吸収性能の悪化を抑制することができる使い捨て着用物品を提供することを目的とする。
【課題を解決するための手段】
【０００６】
本発明に係る使い捨て着用物品（使い捨ておむつ１）は、液透過性の表面シート（表面シート１０）と、裏面シート（吸収体裏面被覆シート３０）と、前記表面シートと前記裏面シートとの間に配置され、かつ着用者の身体前側と身体後側とに延びる前後方向及び前記前後方向に直交する幅方向を有する吸収体（吸収体４０）と、を備え、着用者の排尿部に当接する領域である排尿領域（排尿領域Ｓ３）と、前記排尿領域よりも後方に配置され、前記着用者の臀部に当接する領域である臀部領域（後胴回り領域Ｓ２）と、を有し、前記表面シートと前記吸収体との間に、吸収性ポリマーが液透過性シート間に挟持された吸収性シート（吸収性シート９０）が設けられた使い捨て着用物品であって、前記排尿領域と前記臀部領域のうち少なくとも前記排尿領域において、前記吸収体には、前記吸収体が前記内方向に凸に曲がることができるように曲部が形成されており、前記排尿領域には、前記吸収性シートが配置されておらず、前記臀部領域には、前記吸収性シートが配置され、前記曲部は、前記前後方向に沿って配置されるとともに、前記吸収性ポリマーが挟持されている前記吸収性シートの吸収性ポリマー配置領域によりも前方で終結し、前記曲部は、さらに、前記前後方向に伸縮する曲部伸縮性部材を有して構成されていることを要旨とする。
【０００７】
また、本発明に係る使い捨て着用物品（使い捨ておむつ１）は、液透過性の表面シート（表面シート１０）と、裏面シート（吸収体裏面被覆シート３０）と、前記表面シートと前記裏面シートとの間に配置され、かつ着用者の身体前側と身体後側とに延びる前後方向及び前記前後方向に直交する幅方向を有する吸収体（吸収体４０）と、を備え、着用者の排尿部に当接する領域である排尿領域（排尿領域Ｓ３）と、前記排尿領域よりも後方に配置され、前記着用者の臀部に当接する領域である臀部領域（後胴回り領域Ｓ２）と、を有する使い捨て着用物品であって、前記吸収体は、吸収性ポリマーを有する第１領域と、前記第１領域よりも吸収性ポリマーの目付が低い第２領域と、を有しており、前記排尿領域と前記臀部領域のうち少なくとも前記排尿領域において、前記吸収体には、前記吸収体が前記内方向に凸に曲がることができるように曲部が形成されており、前記排尿領域の前記吸収体には、前記第２領域が設けられており、前記臀部領域の前記吸収体の前記表面シート側には、前記第１領域が設けられ、前記曲部は、前記前後方向に沿って配置されるとともに、前記吸収性ポリマーが配置されている前記第１領域の吸収性ポリマー配置領域よりも前方で終結し、前記曲部は、さらに、前記前後方向に伸縮する曲部伸縮性部材を有して構成されていることを要旨とする。
【発明の効果】
【０００８】
本発明に係る使い捨て着用物品によれば、排尿領域に曲部が形成されているため、排尿領域を着用者に密着させて、排尿領域に配置された吸収体によって体液を引き込むことができる。また、吸収された体液は、臀部領域の吸収性シート又は第１領域に配置された吸収性ポリマーによって保持することができる。
【０００９】
したがって、排尿領域が体液を引き込む引き込み領域として機能し、臀部領域が体液を保持する保持領域として機能し、それぞれの機能を発揮することができる。よって、吸収性能の悪化を抑制することができる。
【００１０】
また、臀部領域における表面シートと吸収体との間に吸収性ポリマーを配置することにより、お尻の重みによる圧力がかかった場合であっても、吸収性ポリマーによって体液を保持し、液戻りを防止できる。
【図面の簡単な説明】
【００１１】
【図１】実施の形態に係る使い捨ておむつ１の概略斜視図である。
【図２】実施の形態に係る使い捨ておむつ１の展開平面図である。
【図３】図２に示すＸ１-Ｘ’１線に沿った使い捨ておむつ１の幅方向断面図である。
【図４】図２に示すＸ２-Ｘ’２線に沿った使い捨ておむつ１の前後方向断面図である。
【図５】図２に示すＸ３-Ｘ’３線に沿った使い捨ておむつ１の幅方向断面図である。
【図６】実施の形態に係る吸収体の平面図である。
【図７】実施の形態に係る使い捨ておむつ１の着用状態を模式的に示すＸ１-Ｘ’１線に沿った断面図である。
【図８】変形例に係る使い捨ておむつの吸収体の平面図及び断面図である。
【発明を実施するための形態】
【００１２】
次に、本発明に係る使い捨ておむつ１の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれ得る。
【００１３】
本実施形態に係る使い捨て着用物品は、体液を吸収する吸収性ポリマーの目付の高い領域が臀部領域に設けられていることを特徴とする。
【００１４】
（１）使い捨て着用物品の全体概略構成
図１は、本実施形態において使い捨て着用物品を構成する使い捨ておむつ１の概略斜視図である。図２は、本実施形態に係る使い捨ておむつ１の展開平面図である。図３は、図２に示すＸ１−Ｘ’１線に沿った使い捨ておむつ１の幅方向断面図である。図４は、図２に示すＸ２−Ｘ’２線に沿った使い捨ておむつ１の前後方向断面図である。図５は、図２に示すＸ３−Ｘ’３線に沿った使い捨ておむつ１の幅方向断面図である。使い捨ておむつ１は、パンツ型の使い捨ておむつである。
【００１５】
使い捨ておむつ１は、図２に示すように、吸収性物品１の前後方向において、着用者の前胴回りに対応する前胴回り領域Ｓ１と、着用者の後胴回りに対応する後胴回り領域Ｓ２と、着用者の股下に対応し、着用者の排尿部に当接する領域である排尿領域Ｓ３と、を有する。排尿領域Ｓ３は、吸収体の前後方向における中央を含む前側寄りの領域であり、後胴回り領域Ｓ２は、吸収体の前後方向における中央よりも後方の領域であり、かつ排尿領域Ｓ３よりも後方に配置され、着用者の臀部に当接する領域である臀部領域となる。
【００１６】
なお、長方形の吸収体の場合には、吸収体の前後を把握し易くするために、吸収性シートを着色したり、バックシートやズレ止めテープに前後の表示を印刷したりして、前後方向を識別し易くすることが望ましく、特に、パッドタイプのおむつにおいては好適である。
【００１７】
前胴回り領域Ｓ１の吸収性物品１の幅方向Ｗ外側に位置する前胴回り縁部４が、後胴回り領域Ｓ２の幅方向Ｗの外側に位置する後胴回り縁部６と接合され、かつ前胴回り縁部４’が、後胴回り縁部６’と接合されることによって、使い捨ておむつ１がパンツ型に形成される。
【００１８】
使い捨ておむつ１は、表面シート１０、吸収体４０、サイドシート６０、前側外装トップシート７０Ｆ、後側外装トップシート７０Ｒ、外装センターシート１００、前側外装バックシート８０Ｆ及び後側外装バックシート８０Ｒ等を備えており、これらは互いに、接着剤や熱融着などによって接合されている。
【００１９】
前側外装トップシート７０Ｆ、後側外装トップシート７０Ｒ、前側外装バックシート８０Ｆ、後側外装バックシート８０Ｒ、及び外装センターシート１００は、使い捨ておむつ１の外装部分を構成するシートである。前側外装トップシート７０Ｆ、後側外装トップシート７０Ｒ、外装センターシート１００の内側（肌当接面側）には、綿状パルプと高分子吸水性ポリマーから構成される吸収体４０が設けられる。
【００２０】
表面シート１０は、着用者の肌に直接的に接し得る肌当接面を形成するシートである。表面シート１０は、親水性不織布や織物、開口プラスチックフィルム、開口疎水性不織布などの液透過性のシートによって形成されている。本実施の形態に係る表面シート１０は、ポリプロピレンからなる目付２３ｇ/ｍ２の親水性スパンボンド不織布によって形成されている。
【００２１】
表面シート１０の非肌当接面側には、セカンドシート１５が接合されている。セカンドシート１５は、表面シート１０と吸収体４０との間に配置される。セカンドシート１５を設けることにより、体液の吸収速度を速くすることができ、かつ吸収後における体液の逆戻りを抑制することができる。
【００２２】
本実施の形態に係る使い捨ておむつ１の吸収体は、着用者の股間部に密着する構造であるため、吸収後の体液の逆戻りを抑制することにより、排泄後の快適性を向上させることができる。セカンドシート１５は、例えば、エアスルー不織布や、開孔フィルムなどが用いられる。本実施の形態のセカンドシート１５は、エアスルー不織布５０ｇ／ｍ２(親水性)によって形成されている。
【００２３】
吸収体４０は、表面シート１０とセカンドシート１５とが接合された複合シートと、吸収体裏面被覆シート３０との間に配置されている。吸収体４０は、前胴回り領域Ｓ１から後胴回り領域Ｓ２に向かう前後方向と、前後方向に直交する幅方向Ｗとを有する。吸収体４０は、使い捨ておむつ１を着用する着用者に向かう内方向ＩＮと、内方向と反対側に向かう外方向ＯＵＴとを有する。吸収体４０は、粉砕パルプや高吸収性ポリマーなどの混合粉体で形成される。
【００２４】
吸収体４０は、着用者との非肌当接面側に位置する第１層４１と、第１層４１と重ねられ、かつ着用者の肌当接面側に位置する第２層４２と、によって構成されている。吸収体４０の第１層４１には、幅方向Ｗにおける中央に中央開口部４５が形成される。中央開口部４５の幅方向における両外側には、一対の第１サイドスリット４６が形成される。なお、吸収体４０の構成については、後述にて詳細に説明する。中央開口部及び第１サイドスリットは、後述する曲部として機能し、かつ案内部として機能する。
【００２５】
後胴回り領域における吸収体の肌当接面側には、吸収性シート９０が配置されている。吸収性シートは、セカンドシート１５よりも後方に配置されている。吸収性シートは、吸収性ポリマーを挟持した複合シートであり、後胴回り領域において体液を保持し、吸収体によって保持した体液が着用者側に戻ることを防止する。吸収性シートの構成については、後述にて詳細に説明する。
【００２６】
吸収性物品１は、吸収性物品１の厚み方向Ｔにおいて中央開口部４５に重なるように配置された中央弾性材４４を有する。
【００２７】
吸収体４０に形成されたこれらの弾性材やスリット等によって、使い捨ておむつ１が着用された際に吸収体４０が曲がるように構成されている。本実施形態において、中央弾性材４４及び中央開口部４５は中央曲部を構成し、第１サイドスリット４６は第１曲部を構成する。
【００２８】
サイドシート６０は、吸収体４０の幅方向Ｗの両側端において、表面シート１０、吸収体裏面被覆シートを一体に包むように設けられる。サイドシート６０は、液不透過性の不織布などのシートによって形成されている。本実施形態に係るサイドシート６０は、ポリプロピレンのSMS不織布15g/m2である。
【００２９】
サイドシート６０の幅方向における端部は、サイドシート同士が重なり合っている。サイドシート同士が重なり合う部分には、前後方向に沿って伸長した状態で防漏弾性材５３（図３参照）が設けられている。サイドシート６０と防漏弾性材５３とによって排泄物の横漏れを防止する防漏壁が構成される。
【００３０】
防漏壁は、吸収体４０の幅方向における両端部において、吸収性物品１の前後方向に沿って設けられる。防漏弾性材５３は、折り返されるサイドシート６０間において、吸収性物品１の前後方向に伸張した状態で吸収性物品１の前後方向に沿って複数設けられる。
【００３１】
本実施形態に係る防漏弾性材５３は、スパンデックスが用いられており、左右片側において７８０ｄｔｅｘの太さ、３．０倍の伸長倍率で２本ずつ伸長固定される。サイドシート６０は、吸収体裏面被覆シートの非肌当接面側に固定され、吸収体の幅方向両端部より表面シート側に折り返される。サイドシート６０は、ホットメルト型接着剤をビード塗工による方法で０．１ｇ/ｍの量で複数本塗工し、表面シート１０に固定されている。
【００３２】
外装トップシートは、前胴回り領域Ｓ１に配置される前側外装トップシート７０Ｆと、後胴回り領域Ｓ２に配置される後側外装トップシート７０Ｒとを備える。厚み方向Ｔにおいて、前側外装トップシート７０Ｆは、前側外装バックシート８０Ｆと吸収体４０との間に配置される。厚み方向Ｔにおいて、後側外装トップシート７０Ｒは、後側外装バックシート８０Ｒと吸収体４０との間に配置される。前後方向において、前側外装トップシート７０Ｆと後側外装トップシート７０Ｒとの間には、外装センターシート１００が配置されている。
【００３３】
外装センターシート１００の前端部は、前側外装トップシート７０Ｆの後端部と接合され、外装センターシート１００の後端部は、後側外装トップシート７０Ｒの前端部と接合される。外装センターシート１００は、前側外装トップシート７０Ｆと後側外装トップシート７０Ｒとを跨って配置されている。外装センターシート１００は、連続的にスロットコーターで塗工されたホットメルト型接着剤によって、外装トップシートの表面側に対して接合される。
【００３４】
外装センターシート１００は、不織布などによって構成される。本実施の形態に係る外装トップシートは、ポリプロピレンからなる目付１５ｇ/ｍ２のSMS不織布によって構成されている。外装センターシート１００は、着用時において外装トップシートよりも内側（肌当接面側）に位置する。
【００３５】
前側外装トップシート７０Ｆ及び後側外装トップシート７０Ｒは、前胴回り領域Ｓ１及び後胴回り領域Ｓ２において、幅方向Ｗの幅が排尿領域Ｓ３よりも大きく形成されている。前側外装トップシート７０Ｆ及び後側外装トップシート７０Ｒは、エアスルー不織布、スパンボンド不織布、ＳＭＳ不織布、防水フィルムなどによって形成できる。本実施の形態に係る外装トップシートは、ポリプロピレンからなる目付１５ｇ/ｍ２のＳＭＳ不織布によって構成されている。
【００３６】
前側外装バックシート８０Ｆは、前胴回り領域Ｓ１において前側外装トップシート７０Ｆよりも非肌当接面側に設けられる。後側外装バックシート８０Ｒは、後胴回り領域Ｓ２において後側外装トップシート７０Ｒよりも非肌当接面側に設けられる。前後方向における前側外装バックシート８０Ｆ（後側外装バックシート８０Ｒ）の一端は、肌当接面側に折り返され、前側外装トップシート７０Ｆ（後側外装トップシート７０Ｒ）の前後方向における端部を包むように設けられる。
【００３７】
前側外装バックシート８０Ｆ及び後側外装バックシート８０Ｒは、エアスルー不織布、スパンボンド不織布、ＳＭＳ不織布、防水フィルムなどによって形成できる。本実施の形態に係る前側外装バックシート８０Ｆ及び後側外装バックシート８０Ｒは、ポリプロピレンからなる目付１７ｇ/ｍ２のスパンボンド不織布によって構成されている。
【００３８】
吸収体裏面被覆シート３０は、前側外装トップシート７０Ｆ、後側外装トップシート７０Ｒ及び外装センターシート１００に対して部分的に接着されている。
【００３９】
前胴回り領域Ｓ１及び後胴回り領域Ｓ２には、ウエストギャザー３が設けられる。ウエストギャザー３は、吸収体４０の幅方向Ｗに沿って伸縮するように配設される合成ゴムなどの細長いウエスト弾性材３Ａを有する。ウエスト弾性材３Ａは、使い捨ておむつ１の幅方向Ｗに対して伸長された状態で接着剤（例えばホットメルト接着剤）によって、前側外装トップシート７０Ｆと前側外装バックシート８０Ｆ、及び後側外装トップシート７０Ｒと後側外装バックシート８０Ｒとの間に接合されている。
【００４０】
腰回り弾性材を配置することにより、使い捨て着用物品を腰回りで保持することができ、使い捨て着用物品全体が引き下がることを防止できる。よって、後述する吸収性シート９０によって体液を保持し、吸収体の後部側が重くなった場合であっても、吸収体が引き下がるのを防止し、吸収体４０と着用者の身体との間に隙間が生じることを抑制できる。
【００４１】
ウエストギャザー３は、前胴回り領域Ｓ１における吸収性物品１の幅方向Ｗ外側に位置する一方の前胴回り縁部４から他方の前胴回り縁部４‘まで連続し、後胴回り領域Ｓ２における吸収性物品１の幅方向Ｗ外側に位置する一方の後胴回り縁部６から他方の前胴回り縁部６‘まで連続する。
【００４２】
後側外装バックシート８０Ｒには、レッグギャザー５が形成される。レッグギャザー５は、着用者の脚部に沿うように形成される。レッグギャザーは、伸縮するように配設される合成ゴムなどの細長い脚回り弾性材によって形成されている。脚回り弾性材は、前胴回り領域Ｓ１に配置された前脚回り弾性材５Ｆと、後胴回り領域Ｓ２に配置された後脚回り弾性材５Ｒと、によって構成されている。レッグギャザー５は、吸収体４０を横断しないように設けられている。
【００４３】
脚回り弾性材は、後述する吸収性シート９０による臀部領域としての後胴回り領域Ｓ２の引き下がりを抑制する臀部伸縮性部材として機能する。吸収性シート９０に体液が集中すると、吸収性シート９０が配置された後胴回り領域Ｓ２が引き下がるおそれがある。しかし、前後方向に伸縮する脚回り弾性材が吸収性シートの幅方向外側に配置されていることにより、後胴回り領域Ｓ２が引き下がることを抑制することができる。このような観点において脚回り弾性材は、吸収性シート９０の前端部付近に配置されていることが望ましい。
【００４４】
なお、本発明における臀部伸縮性部材は、着用者に装着される前の状態における前後方向に伸縮可能に構成されていればよい。例えば、着用者に装着された状態では、後胴回り領域Ｓ２に配置される吸収体４０の一部は、装着前の状態における前後方向が上下方向となる。したがって、臀部伸縮性部材は、着用者に装着された後において上下方向に伸縮し、後胴回り領域Ｓ２の下方への引き下がりを抑制するように機能する。
【００４５】
また、本発明における臀部伸縮性部材は、前後方向と幅方向のうち、少なくとも前後方向に伸縮可能に構成されていればよく、前後方向のみならず、幅方向にも伸縮可能に構成されていてもよい。例えば、前後方向に対して斜めの方向に伸縮し、幅方向において伸縮する成分と前後方向に伸縮する成分とを有する伸縮性部材であってもよい。したがって、本実施の形態のように前後方向に対して傾斜して配置されていてもよいし、前後方向に沿って配置されていてもよい。
【００４６】
脚回り弾性材は、前側外装トップシート７０Ｆと前側外装バックシート８０Ｆ、及び後側外装トップシート７０Ｒと後側外装バックシート８０Ｒとの間に接合されている。
【００４７】
本実施の形態に係る脚回り弾性材は、７８０ｄｔｅｘの太さ、１．５〜３．５倍の伸長倍率で３本伸長固定される。脚回り弾性材は、部分ごとに倍率の勾配をつけた状態で配置されている。
【００４８】
脚回り弾性材は、予め外装トップシートに塗工したホットメルト型接着剤によって固定されている。ホットメルト型接着剤は、スパイラルスプレーによって塗工される。脚回り弾性材の塗工量は、７ｇ／ｍ２とした。外装トップシートの端部付近(端部から約５ｍｍの位置)の少なくとも脚回り弾性材と重なる位置には、スロットコーターで接着剤が塗工されている。このように接着剤を塗工することにより、外装表面シートの端部から脚回り弾性材が抜けることを防止できる。
【００４９】
また、非接触型のスパイラルスプレーで接着剤を塗工すると、外装トップシートの端部付近の接着剤がはみ出して、製造上の不具合が発生するおそれがある。しかし、接触型のスロットコーターで塗工することにより、接着剤のはみ出しを防止することができる。なお、スロットコーターの塗工量は、10ｇ/ｍ２とした。
【００５０】
中央弾性材４４は、前後方向に沿って設けられて、使い捨ておむつ１の厚さ方向Ｔにおいて中央開口部４５と重なる位置に設けられている。中央弾性材４４は、内方向ＩＮに凸、つまり、吸収体４０が着用者に向けて凸に曲がるように、前後方向に沿って吸収体４０に重なるように形成されている。中央弾性材４４は、吸収性物品の幅方向中心において前後方向に伸縮するように、前後方向に沿って伸長した状態で配置されている。中央弾性材４４は、曲部伸縮性部材を構成し、排尿領域Ｓ３に配置される。
【００５１】
中央弾性材４４は、弾性材被覆シート４３と、吸収体裏面被覆シート３０の間に、伸長された状態で設けられている。中央弾性材４４は、１．４〜３．０倍の伸長倍率で配置される。本実施の形態に係る中央弾性材は、幅方向中央に位置する中央弾性部材と、中央弾性部材の幅方向外側に位置する補助中央弾性材と、を有する。
【００５２】
中央弾性部材は、1.4〜3.0の伸長倍率で配置される。本実施の形態に係る中央弾性部材は、６２０ｄｔｅｘの太さ、２．５倍の伸長倍率で３本伸長固定される。中央弾性部材の間隔は、5mmであり、接着長さは全て120mmである。中央補助弾性部材は、1.2〜2.5倍で中央弾性部材よりも低応力で配置される。本実施の形態に係る中央補助弾性部材は、６２０ｄｔｅｘの太さ、１．８倍の伸長倍率で１本ずつ伸長固定される。中央弾性部材両端から幅方向に5mmの間隔を開けて中央弾性部材と前後方向に同位置に、5mm間隔で配置される。
【００５３】
中央弾性材４４は、スパンデックスであり、Ｖスロット方式でホットメルト型接着剤を塗工される。中央弾性材４４には、伸縮性不織布など用いてもよい。弾性材被覆シート４３は、不織布などのシートで構成され、本実施形態では、ポリプロピレンからなる目付１５ｇ/ｍ２のＳＭＳ不織布(疎水性)を用いた。
【００５４】
中央弾性材４４の素材には、例えば、スチレン−ブタジエン、ブタジエン、イソプレン、ネオプレン等の合成ゴム、天然ゴム、ＥＶＡ、伸縮性ポリオレフィン、スパンデックス、発泡ポリウレタン等を挙げることができる。その他、中央弾性材４４の材料としては、ウレタン系、ポリスチレン系などのエラストマー繊維と延伸可能なポリオレフィン系、ポリエステル系などの熱可塑性繊維を混合し、延伸加工を施すことによって形成した伸縮不織布などの弾性シートを用いてもよい。
【００５５】
側端部弾性材４９は、吸収体の幅方向における両側部において、吸収体裏面被覆シート３０とサイドシート６０との間に接着剤によって接合されている。側端部弾性材４９は、前後方向に沿って配置されており、排尿領域Ｓ３と、後胴回り領域Ｓ２の一部とに跨って配置される。
【００５６】
側端部弾性材４９の固定手段としては、ホットメルト型接着剤などがある。本実施形態に係る側端部弾性材４９は、スパンデックスを用いており、Ｖスロット方式によりホットメルト型接着剤を直接塗工している。本実施形態に係る側端部弾性材４９は、左右両側において、７８０ｄｔｅｘの太さ、２．３倍の伸長倍率で３本ずつ伸長固定される。
【００５７】
また、側端部弾性材４９と前脚回り弾性材５Ｆ、及び側端部弾性材４９と後回り弾性材５Ｒは、それぞれ平面視で略連なって配置されている。このように配置することにより、足繰りを囲むように伸縮させることができ、脚繰りのフィット性が向上しおむつのズレや漏れを防止する効果がある。
【００５８】
なお、弾性材の伸長応力は、例えば、次のようにして測定することができる。
（１）凸状部分を形成する弾性材を幅方向にすべて含むように、弾性材を挟み込んだ資材ごと切り出す。具体的には、例えば、本実施例に係る着用物品においては、５mm間隔で３本ずつ配置された中央弾性材を挟み込んだ資材をたるみがないように伸長させた状態で、幅13mm×長さ100mmを切り出す。同じく伸長させた状態で前後方向両端部からそれぞれ１０mm内側にマーキングする。伸長応力の測定には、インスロンジャパンカンパニィリミテッド社製の引張り試験機（例えば、型式：5564）、又は株式会社島津製作所製オートグラフ（例えば、型式：AGS-1kNG）を使用した。
【００５９】
（２） （１）の試料を、マーキング部がチャック内側端部になるように上部チャックで挟むとともに、他方のマーキング部がチャック内端部になるように下部チャックで挟む。チャック間における試料の長さ寸法は、８０ｍｍとなる。なお、弾性材のギャザーとして効いている長さが１００ｍｍより短い場合は、ギャザーとして効いている弾性材の長さうち最も短い長さより２０ｍｍ短い長さをチャック間における試料の長さに設定する。初期のチャック間距離は初期に試料のテンションが掛からないようにするため、試料が縮んだときの長さ(自然長)よりも短く設定する。それらチャックが互いに離間するように試料を１００ｍｍ／ｍｉｎの条件で上下方向へ引っ張り、試料を伸長する。 
【００６０】
（３） 試料を、弾性材を挟み込んだ資材がたるみなく伸長したときの試料のチャック間における長さ寸法を１００％として、試料のチャック間の長さ寸法が９０％になるまで試料を伸ばし、そのときの試料の伸長時応力を測定し、弾性材の伸長応力とする。すなわち上記本実施例では試料の１００％長さ寸法８０ｍｍに対して９０％の７２ｍｍまで試料を伸ばしたときの伸長時応力を測定する。
【００６１】
また、吸収体４０の厚さは、吸収体４０の製品長及び製品幅に伸ばされた状態（つまり、しわの入らないように平坦な状態）で厚さ測定器に測定したい部分を挟み込んで測定する。使用可能な測定装置としては、例えば、ＰＥＡＣＯＣＫ製厚み計（測定部：直径５ｍｍ、測定時圧力：１６３ｇ／ｃｍ２）を用いることができる。
【００６２】
なお、上述した使い捨ておむつ１を構成する各部材は、例えば、特開２００６−３４６４３９号公報に記載された材料を用いてもよい。
【００６３】
（２）吸収性シートの構成
次いで、後胴回り領域Ｓ２において吸収体４０の肌当接面側に配置される吸収性シート９０について説明する。吸収性シート９０は、吸収性ポリマー９１を２枚の液透過性シート９２，９３で挟持した複合シートである。液透過性シート９２，９３には、たとえば不織布が用いられる。なお、吸収性ポリマー９１を３枚以上の液透過性シートで挟持して吸収性シートを作製してもよいし、１枚の液透過性シートを折り畳んで、吸収性ポリマーを挟持して吸収性シートを作製してもよい。
【００６４】
吸収性ポリマー９１は、水を吸収するポリマーであり、たとえば、水溶性高分子が適度に架橋された三次元網目構造を有する吸収性高分子ポリマーである。このような吸収性高分子ポリマーは、水を吸収する前の体積の数百倍〜千倍の水を吸収するが本質的に水不溶性であり、一旦吸収された水は多少の圧力を加えても離水しない。
【００６５】
吸収性ポリマー９１には、たとえば、デンプン系、アクリル酸系、アミノ酸系の粒子状または繊維状のポリマーが挙げられる。吸収性ポリマー９１を２枚の液透過性シート９２，９３で挟持した後、２枚の液透過性シート９２，９３を接合することで、吸収性シート９０は作製される。吸収性ポリマー９１の粒径は、吸収性ポリマー９１を２枚の液透過性シート９２，９３で挟持した後、吸収性ポリマー９１がこぼれてしまうのを防ぐために、液透過性シート９２，９３の繊維間隙に比べて細かくない方が好ましい。
【００６６】
液透過性シート９２，９３には、たとえば、スパンボンド不織布、ポイントボンド不織布、エアスルー不織布、ＳＭＳ不織布などを用        いることができる。液透過性シート９２，９３は、尿に対して透過性を有することが必要であるので、親水化処理がなされていることが好ましい。本実施例では、液透過性シート９２、９３として親水化処理がなされた２５ｇ/ｍ２のエアスルー不織布を用いた。        
【００６７】
液透過性シート９２，９３の吸収性ポリマー９１を挟持する面には、前後方向に延び、幅方向に複数並ぶ接着部（図示せず）が設けられている。液透過性シート９２，９３の吸収性ポリマー９１を挟持する面には、前後方向に延び、幅方向に複数並ぶ接着部が設けられている。なお、液透過性シート９２，９３のうちの一方の液透過性シート９２，９３の吸収性ポリマー９１を挟持する面に接着部を設けてもよい。接着部は、たとえば、ホットメルト接着剤を筋状に塗工することによって形成される。
【００６８】
これにより、吸収性ポリマー９１は、液透過性シート９２，９３に固定される。接着部が前後方向に延び、幅方向に複数並ぶのは、すなわち、接着部が筋状であるのは、接着部における尿の透過性は低下し易いため、接着部の存在しない領域を設けるためである。したがって、接着部の存在しない領域を設けることができる塗工方法であれば、すなわち、接着部を間欠的に配置できる塗工方法であれば、筋状塗工方法に限定されず、オメガ塗工などの非接触塗工方法でもよい。
【００６９】
接着部は、後述の吸収性ポリマー配置領域９６に間欠的に設けられているので、吸収性ポリマー９１が吸収性ポリマー配置領域９６の中で偏るのを防止することができる。吸収体４０側の液透過性シート９３に設けられた接着部の隣接する接着部同士の間の接着部間距離は、表面シート１０側の液透過性シート９２に設けられた接着部の接着部間距離に比べて小さい。これにより、吸収性ポリマーが、吸収体４０側の液透過性シート９３に均等に固定される。        
【００７０】
液透過性シート９２，９３に、青色などに着色された筋状の接着部を設けることによって、吸収性物品１に青色などの色の縞状の模様が付されるので、吸収性物品１の外観がよくなる。なお、吸収体４０側の液透過性シート９３における吸収性ポリマーを挟持する面のみに接着部を設けるようにしてもよい。液透過性シート９２および／または９３に接着部を設けることによって、吸収性ポリマーが膨潤する前に吸収性ポリマーが吸収性シート９０内を移動するのを抑制することができる。吸収性シート９０は、排尿領域Ｓ３の前後方向の中央から後胴回り領域Ｓ２にわたる、少なくとも後胴回り領域Ｓ２の一部の領域に配置されることが好ましい。
【００７１】
このように、後胴回り領域Ｓ２に集中的に吸収性ポリマーを配置することにより、後胴回り領域Ｓ２における吸収能力を高めて、特に座位、寝姿勢の場合に多い後胴回り領域からの漏れを、改善することができる。
【００７２】
吸収性シート９０では、吸収性ポリマーは、複数の吸収性ポリマー配置領域９６（以下、吸収性ポリマー配置領域と呼ぶ）に分けて配置され、それぞれの吸収性ポリマー配置領域９６の間に吸収性ポリマーが配置されていない領域（以下、吸収性ポリマー非配置領域と呼ぶ）９７を設けられている。なお、図２において吸収性ポリマー配置領域９６に斜線を付して示す。
【００７３】
ポリマー配置領域とポリマー非配置領域と交互に設けることにより、吸収性ポリマー配置領域９６の吸収性ポリマーが尿を吸収して膨潤しきってしまい、尿をさらに吸収できなくなった場合でも、尿は吸収性ポリマー非配置領域９７を通過して、吸収体４０に吸収される。なお、吸収性ポリマー膨潤しきるまで使用し続けることのない吸収性物品については、吸収性シートに吸収性ポリマー非配置領域を設ける必要はない。
【００７４】
吸収性ポリマー配置領域９６の平面方向の形状は、吸収性物品１の前後方向で前胴回り領域Ｓ１から後胴回り領域Ｓ２への方向に凸であり、かつ吸収性物品１の幅方向に延びる略Ｖ字形状である。すなわち、吸収性ポリマー配置領域９６の平面方向の形状は、吸収性物品１の前後方向で前胴回り領域S1から後胴回り領域S2への方向に頂点が向いた略Ｖ字形状である。ただし、前胴回り領域S1からもっとも離れている吸収性ポリマー配置領域９６は、略Ｖ字形状または略円弧形状において幅方向の中央を切り欠いて２つの領域に分けられることによって形成される形状である。吸収性ポリマー配置領域９６の略Ｖ字形状は、着用者の臀部に沿った形状であるので、吸収性ポリマー配置領域９６は着用者の臀部にフィットし、着用者と吸収性物品１との間の隙間が生じにくくなる。なお、吸収性ポリマー非配置領域が存在すれば、吸収性ポリマー配置領域の形状は略Ｖ字形状に限定されない。たとえば、吸収性ポリマー配置領域の形状は、円弧形状、円形、矩形形状、三角形などでもよい。
【００７５】
上述したように、吸収性ポリマーを２枚の液透過性シート９２，９３で挟持した後、２枚の液透過性シート９２，９３を接合することで吸収性シート９０は作製される。２枚の液透過性シート９２，９３の間に吸収性ポリマーが挟持されている領域が吸収性ポリマー配置領域９６であり、２枚の液透過性シート９２，９３の間に吸収性ポリマーが挟持されておらず、２枚の液透過性シート９２，９３同士が接合されている領域が吸収性ポリマー非配置領域９７である。
【００７６】
２枚の液透過性シート９２，９３同士の接合には吸収性ポリマーの膨潤による膨張力に耐えうる強度が必要である。例えば、吸収性ポリマーの膨潤によって、２枚の液透過性シート９２，９３同士がはがれてしまうと、２枚の液透過性シート９２，９３の間に隙間が生じ、その隙間に吸収性ポリマーが入り込んで、吸収性ポリマー非配置領域９７がなくなってしまう場合がある。この液透過性シート９２，９３同士の接合には、ヒートシール、ソニックシール、接着剤などを用いることができる。
【００７７】
ヒートシールによって液透過性シート９２，９３同士を接合する場合、ヒートシールの幅方向の線圧が一定になるほど、全体に均一なシール強度になる。このため、ヒートシールの幅方向の線圧は一定であることが好ましい。ヒートシールの幅方向の線圧を均一にするためには、シールされる領域の幅方向の長さの合計を一定にする必要がある。たとえば、上述のように、吸収性ポリマー配置領域９６を略Ｖ字形状または略円弧形状にし、前後方向に並べることによって吸収性ポリマー非配置領域９７の幅方向の長さの合計をほぼ一定にすることができる。接着剤を用いて液透過性シート９２，９３同士を接合させる場合、吸収性ポリマーが膨潤しているとき液透過性シート９２，９３は、湿潤状態であるので、接着剤は、湿潤時においても強度を発揮するタイプが好ましい。
【００７８】
吸収性ポリマーは、尿を吸収すると膨潤するので、吸収性ポリマー配置領域９６では、吸収性ポリマーは、２枚の液透過性シート９２，９３の間に、吸収性ポリマーが十分に膨潤できるだけの容積を確保していることが望ましい。２枚の液透過性シート９２，９３の間に、吸収性ポリマーを稠密に詰め込み過ぎてしまうと、吸収性ポリマーが完全には膨潤できないため、吸収性ポリマーの吸収能を十分に利用できない場合がある。
【００７９】
吸収性シート９０における吸収性ポリマー配置領域９６の数を多くすると、吸収性ポリマー非配置領域９７の面積は増えるが、吸収性シート９０における吸収性ポリマーの合計量容積が少なくなるので、吸収性シート９０が尿を吸収できる量が小さくなる。一方、吸収性シート９０における吸収性ポリマー配置領域９６の数を少なくすると、吸収性シート９０における吸収性ポリマーの合計量容積量が多くなり、吸収性シート９０が尿を吸収できる量が大きくなるが、吸収性ポリマー非配置領域９７の面積は小さくなり、吸収性ポリマーが膨潤したあと、尿が吸収性シート９０を透過して吸収体４０に吸収されることが起こらなくなってしまう場合がある。
【００８０】
尿の量と、吸収性ポリマーが膨潤した後の吸収性シート９０の尿の透過性との間のバランスを考慮して、さらに吸収性ポリマーの種類および投入量からくる膨潤後の容積を考慮して、吸収性ポリマー配置領域９６の数を選択する必要がある。たとえば、１８０ｍｍ×１３０ｍｍの大きさの吸収性シートの場合、１ｇ当たり生理食塩水を６０ｇ吸収する吸収性ポリマー２ｇを、５つの吸収性ポリマー配置領域に分けて配置することによって、尿の吸収性と、吸収性ポリマーが膨潤した後の尿透過性との間のバランスが良好な吸収性シートを得ることができる。
【００８１】
吸収性シート９０は、吸収体４０の非肌面側に配置してもよいが肌面側に配置するのが好ましい。着用者が座位や寝姿勢をとった場合、後胴回り領域Ｓ２の領域に吸収体４０に吸収された尿は、体重による圧力（体圧）が吸収体４０に掛かることによりしみ出すが、しみ出した尿は吸収性シート９０によって着用者の肌側に到達しにくくなる。吸収性シート９０は、ほぼ吸収性ポリマーで構成されているため、体圧が掛かった場合においても尿はほとんどしみ出さない。したがって、尿が排泄された後も肌がサラッとしており、排泄された尿による着用者の肌のかぶれを抑制することができる。
【００８２】
また、脚回り弾性材による吊り上げ効果によって、吸収性シート９０が液を吸収して重くなった場合にも吸収体が肌から離れないように構成している。よって、吸収体と肌との隙間が生じにくくなり特に肌伝いにより生じる漏れの発生を低減することができる。吸収体が肌から離れないように構成した場合においては、吸収体４０からしみ出した体液が着用者の肌側に到達しやすいと、特に肌のかぶれが生じやすくなる。よって、吸収性シート９０を、吸収体４０の肌面側に配置するのがより好ましい。
【００８３】
（３）吸収体の構造
図６は、吸収体４０の平面図である。図６に示すように、吸収体４０は、第１層４１と、第１層４１と重ねられる第２層４２とを有する。第１層４１は、着用者の非肌当接面側に位置し、第２層４２は、着用者の肌当接面側に位置する。
【００８４】
第１層４１と、第２層４２とは、綿状パルプと高分子吸収性ポリマー（ＳＡＰ）とから構成されている。吸収体４０は、例えば、パルプ０〜５００ｇ／ｍ２とＳＡＰ０〜５００ｇ／ｍ２とを混合させて形成することができる。
【００８５】
本実施の形態に係る第１層４１は、パルプ２８０ｇ／ｍ２とＳＡＰ１７０ｇ／ｍ２とが混合されて形成されており、厚さは約３．１ｍｍである。本実施の形態に係る第２層４２は、パルプ２６０ｇ／ｍ２とＳＡＰ１６０ｇ／ｍ２とが混合されて形成されており、厚さは約２．９ｍｍである。したがって、吸収体４０の厚みは、６．０ｍｍである。
【００８６】
第１層４１には、中央開口部４５と一対の第１サイドスリット４６が形成されている。中央開口部４５は、幅方向Ｗの中央部に形成されている。中央開口部４５及び第１サイドスリット４６は、前後方向に沿って延在する縦長の形状を有する。中央開口部４５及び第１サイドスリット４６は、排尿領域Ｓ３において前後方向に延びて形成されており、排尿領域Ｓ３の吸収体４０によって吸収した体液を後胴回り領域Ｓ２域の吸収性シート９０に案内する案内部として機能する。
【００８７】
中央開口部４５の後端部は、吸収性シート９０と重なるように配置されていてもよいし、吸収性シートに重ならないが近接するように配置されていてもよい。また、中央開口部の後方に向かう延長線上に吸収性シートが存在するように配置されていてもよい。
【００８８】
中央開口部と吸収性シートを上述のように配置することにより、吸収体の中央部を着用者肌側に屈曲し易くなる。更に、中央開口部４５や第１サイドスリット４６を介して吸収体によって引き込んだ体液を、中央開口部等を介してスムーズに後胴回り領域Ｓ２に導くことができる。後胴回り領域Ｓ２に配置された吸収性シート９０に体液を誘導することにより、吸収能力が高い部分に体液を優先的に集中させることができる。
【００８９】
また、排尿領域に中央曲部が形成されているため、排尿領域を着用者に密着させて、排尿領域に配置された吸収体によって体液を引き込むことができる。また、吸収された体液は、後胴回り領域の吸収性シートに配置された吸収性ポリマーによって保持することができる。
【００９０】
したがって、排尿領域が体液を引き込む引き込み領域として機能し、後胴回り領域が体液を保持する保持領域として機能し、それぞれの機能を発揮することができる。よって、吸収性能の悪化を抑制することができる。
【００９１】
よって、吸収能力を有効に使用して、吸収性物品全体の吸収能力を高めることができる。また、排尿された尿が股間部において集中的に保持されると、股間部において吸収体が膨らみ、脚が閉じにくくなり大きな違和感を生じたり、歩きにくくなったりする。しかし、排尿領域から離間した遠い位置の吸収性シートに尿を誘導して集中的に保持することにより、股間部において尿吸収後に吸収性ポリマーが膨らんで吸収体の厚みが増大することによる違和感を低減させながら、吸収効率を高めて漏れを低減させることができる。
【００９２】
また、吸収性ポリマー配置領域９６と中央開口部４５との間には、平面視で１０ｍｍ程度の距離がある。吸収性ポリマー配置領域９６と中央開口部４５の後端部との間を中間領域１１０とする。中間領域１１０は、吸収性ポリマー配置領域９６に体液を集中させるために、繰り返し排尿がなされた場合であっても、体液を拡散できる構成とする必要がある。
【００９３】
したがって、中間領域１１０は、繰り返し排尿があった場合においても、体液を拡散できる構成とする必要がある。よって、中間領域１１０における吸収性ポリマーの重量比率は、０〜５０％が好ましく、さらに好ましくは２０〜４０％である。実施の形態に係る吸収体の中間領域は、第１層と第２層とが重なった領域であり、この領域の吸収性ポリマー重量比率は35％である。
【００９４】
また、排尿領域Ｓ３の吸収体は、体液を引き込む取得領域となるため、繰り返し排尿があった場合においても体液を取得できる構成とする必要がある。したがって、排尿領域の吸収体の吸収性ポリマーの重量比率は、０〜５０％が好ましく、さらに好ましくは１０〜３５％である。実施の形態に係る排尿領域の吸収体は、中央開口部４５よりも肌当接面側が第２層のみで構成されており、吸収性ポリマー重量比率は３１％である。
【００９５】
更に、後胴回り領域Ｓ２の吸収体肌面側の、体液を保持する保持領域は、体液を大量に保持でき、さらに体圧が掛かった場合においても体液をほとんどしみ出さない構成とする必要がある。したがって、保持領域の吸収体の吸収性ポリマーの重量比率は、５０％以上が好ましい。
【００９６】
なお、本実施の形態における保持領域とは、吸収性シート９０が配置された領域であり、吸収性ポリマーの密度が高い領域である。排尿領域Ｓ３や中間領域１１０は、厚み方向全体を指しているが、保持領域は、厚み方向の肌面側のみの領域を指している。
【００９７】
また、保持領域の吸収性ポリマー重量比率は、例えば、以下の方法によって測定することができる。製品から吸収性シートを取り出し、２枚の液透過性シート９２，９３と、吸収性ポリマーを分離する。２枚の液透過性シート９２，９３の合計重量をa(g)吸収性ポリマーの重量をb(g)とすると、
吸収性ポリマー重量比率（％）＝ポリマー重量(b)／（ポリマー重量(a)＋液透過性シート合計重量(b)）×１００
によって算出できる。なお、吸収性シート部材間をホットメルト型接着剤により接着した構成においては、上記重量はホットメルト型接着剤を含んだ比率となるが、吸収性ポリマーや液透過性シートの重量等と比較して極めて小さいため、無視してもよい。
【００９８】
なお、本実施の形態に係る曲部は、吸収体に形成したスリット等の開口によって構成されているが、この構成に限られない。例えば、吸収体において周囲の目付よりも低い目付である低目付領域によって構成されていてもよいし、吸収体を厚み方向に圧縮した圧搾部によって構成してもよい。
【００９９】
なお、本発明における低目付け領域とは、周囲の吸収体を構成する吸収層の平均目付に対して目付比率が５０％以下の領域である。目付は、例えば、以下の方法によって測定することができる。まず、製品の対象となる領域において幅１０ｍｍ、長さ５０ｍｍの寸法で表面シート上にマーキングし、当該寸法で吸収体をシート部材毎切り取り、初期の重量を測定する。この重量をＡ(g)とする。
【０１００】
次いで、一緒に切り取ったシート部材(表面シート，セカンドシート，裏面被覆シート等）をトルエンなどの有機溶剤で洗浄し、乾燥させた後に重量を測定し、シート部材のトータルの重量を求める。この重量をＢ（ｇ）とする。
【０１０１】
初期の重量（Ａ）とシート部材の重量（Ｂ）とを用いて、「（Ａ−Ｂ）÷採取寸法」によって、吸収体の目付を算出する。具体的には、本実施の形態における目付Ｘは、（Ａ−Ｂ）／（１０×５０/１０００/１０００)(ｇ/ｍ２)によって算出できる。なお、上記重量は、ホットメルト型接着剤を含んだ重量となるが、吸収体の重量等と比較して極めて小さいため、無視してもよい。
上記方法によって求めた吸収体の目付に基づいて目付比率を算出する。
目付比率＝（低目付領域の吸収体の目付）／（周囲の吸収体の目付）×１００
低目付領域は、目付比率が５０（％）以下となる領域である。
すなわち、以下の条件にあてはまるものを低目付領域とする。
（低目付領域の吸収体の目付）／（周囲の吸収体の目付）×１００≦５０（％）
【０１０２】
なお、低目付領域が他の吸収層と重なっていない箇所（例えば、第１吸収層に形成された領域であって、第２吸収層で覆われていない領域）にある場合には、対象となる低目付領域の吸収層の目付とその吸収層の周囲の目付とを上記方法によって求める。
【０１０３】
また、低目付領域が他の吸収層と重なった箇所（例えば、第１吸収層に形成された領域であって、第２吸収層で覆われている領域）にある場合には、一の吸収層の低目付領域の目付を測定し難いため、対象となる低目付領域の吸収層の重なった部分の目付Ｘ１を求め、次に周囲の重なった部分の吸収体の目付Ｘ２を求め、さらに重なっていない単独層の部分の目付Ｘ３を求めることによって、低目付領域の目付を測定する。
【０１０４】
さらに、この場合、（１）低目付領域を有する吸収層と上記単独層が一致している場合においては、低目付領域は、（Ｘ１−Ｘ２＋Ｘ３）÷Ｘ３×１００≦５０（％）にあてはまるものとすることができる。
一方、（２）低目付領域を有する吸収層と上記単独層が一致していない場合においては、低目付領域は、（Ｘ１−Ｘ３）÷（Ｘ２−Ｘ３）×１００≦５０（％）にあてはまるものとすることができる。
すなわち、低目付領域の構造に応じて、上記３通りの方法で目付を測定することができる。
【０１０５】
また、中央開口部４５を形成することにより、中央部分４０Ｃを着用者側である内方向ＩＮに凸に曲がり易くすることができる。第１サイドスリット４６は、中央開口部４５よりも幅方向外側に形成されている。第１サイドスリット４６は、前後方向に沿って延在する縦長の形状を有する。一対の第１サイドスリット４６は、外方向ＯＵＴに凸、つまり吸収体４０が中央開口部４５と逆の凸に曲がるように、前後方向に沿って吸収体４０に形成されている。
【０１０６】
第２層４２は、略砂時計型の形状である。第２層は、後胴回り領域Ｓ２と排尿領域Ｓ３との境界を跨っており、長手方向でみて排尿領域側に向かうに連れて幅方向内方に向かう方向に、第１層との重なり部と非重なり部の境目となる部分を有する。重なり部は非重なり部に比べて曲げ剛性が高いので、排尿領域における第１サイドスリットによる内方向と反対側に向かう外方向ＯＵＴに曲がる変形を第１層との重なり部と非重なり部の境目となる部分よりも後方に伝達しないように構成することができる。
【０１０７】
吸収体の幅は、前胴回り領域Ｓ１及び後胴回り領域Ｓ２において、１２０〜２５０ｍｍが好ましく、排尿領域Ｓ３で１２０ｍｍ〜２５０ｍｍが好ましい。
【０１０８】
中央開口部４５の前後方向における長さは、第１サイドスリット４６の前後方向における長さよりも長い。本実施の形態では、中央開口部の幅は、４０ｍｍであり、第１サイドスリット４６の幅は、それぞれ１０ｍｍである。
【０１０９】
排尿領域Ｓ３において、第２層４２の幅方向における外側端部４２Ｗは、第１層の第１サイドスリット４６の内側端部４１Ｗと重なっており、前後方向に沿って配置されている。吸収体４０の外側端部４２Ｗよりも幅方向外側は、第１層４１のみによって構成され、外側端部４２Ｗよりも内側は、中央開口部４５が形成された部分を除いて、第１層４１と第２層４２とによって構成される。よって、第１層４１の内側端部４１Ｗと第２層４２の外側端部４２Ｗとを境界として、吸収体４０の剛性及び厚みが変化する。本実施の形態では、剛性等が変化する第２層の外側端部４２Ｗを境界として、吸収体が曲がる。
【０１１０】
また、中央開口部４５において表面シート１０と吸収体裏面被覆シート３０とが貼り合わされて固定されることにより、吸収体を型崩れされることなく屈曲させることができる。
【０１１１】
（３）吸収体の形状変化
図７は、使い捨ておむつ１の着用状態を模式的に示す断面図（図１のＸ１−Ｘ’１線基準）である。使い捨ておむつ１が着用されると、吸収体の排尿領域Ｓ３は、着用者の股間に当てられる。着用者の脚等によって、吸収体には、幅方向外側から幅方向内側に向かって力が掛かる。吸収体４０は、中央弾性材４４及び中央開口部４５と、第１サイドスリット４６と、を基点として吸収体４０が曲がり、使い捨ておむつ１の幅方向Ｗに沿った断面形状は、波状に変形する。よって、吸収体４０の排尿領域Ｓ３は、規則的に折り畳まれた状態となる。
【０１１２】
吸収体４０は、中央弾性材４４によって内方向ＩＮに凸となった吸収体４０の頂面が着用者の股間部に当接する。中央曲部による凸状部分が形成される部分は、第２層４２のみによって構成されており、比較的厚みが薄い。一方、中央曲部による凸状部分と第１曲部による凸状部分との間は、第１層４１と第２層４２とが重なっており、比較的厚みが厚く、剛性が高い。中央曲部と第１曲部との間の剛性が高い部分によって中央曲部による凸状部分を支持することができ、中央曲部による凸形状の安定性を向上させることができる。
【０１１３】
また、中央曲部の中央部に前後方向に延びる中央溝やスリットを設けるように構成してもよい。中央曲部の中央部に前後方向に延びる中央溝やスリットを設けることにより、肌当接面側に凸となった中央曲部の幅方向中央部に、非肌当接面側に凹む凹部を設けることもできる。例えば、第２層の中央開口部に対向する位置にスリットを形成することにより、スリットが形成された部分に吸収体が配置されないため、当該部分の表面シートが裏面シート側に曲がるように変形させて、外方向に凸に曲がるように構成することができる。
【０１１４】
また、着用者が両脚を閉じると、使い捨ておむつ１の断面形状は、吸収体は、中央曲部及び第１曲部で折り畳まれ、互いに密着した状態で、股間部の下方においてコンパクトに配置される。
【０１１５】
このとき、中央弾性材４４及び中央開口部４５によって形成される中央曲部、は、着用者の股間部と当接するように位置する。一方、第１サイドスリット４６によって形成される第１曲部は、非肌当接面側に凸状であり、着用者の排泄口と当接しない位置となる。
【０１１６】
着用者の股間部において吸収体が密着しているので、肌伝いするような尿速の遅い尿が排出された場合であっても、体液の漏れを防止できる。また、折り畳まれた状態で、吸収体の肌から離れた部分の曲部においては、前後方向に延びる凹みが形成されるため、体液を前後方向外側へ拡散させることができ、横漏れを防止することができる。
【０１１７】
吸収体に形成した中央開口部４５、第１サイドスリット４６を基点に折りまげるため、吸収体４０に厚さの薄い部分を形成して凸状部分とする場合と比較して、吸収体４０が液体を吸収して膨らんだ場合でも吸収体４０が曲がり易くなる。また、使い捨ておむつ１を着用して吸収体４０が変形したときの断面形状は、非肌当接面側から肌当接面側に向かって狭くなる先細り形状である。よって、着用者の股間部の隙間に収まり易く違和感を与えにくい。
【０１１８】
また、中央曲部によって形成される凸状部分は、第２層４２のみによって構成されており、第１層４１と第２層４２とが積層されて構成された部分よりも厚みが薄い。すなわち、中央曲部によって形成される凸状部分は、厚みが薄くかつ高さが高いため、股間部の狭い隙間に挿入され易くなり、排泄口と密着し易くなる。よって、排尿口と吸収体とが密着するため、排泄された尿を迅速に吸収することができる。また、着用者の股間部の肌に近い部分においては、吸収体の厚みが薄く、肌から遠い部分で厚みが厚くなるように折り畳まれるため、違和感なくフィットさせることができる。
【０１１９】
身体の股間部の細い隙間に入りこみやすい構造により、中央開口部４５と排尿部の距離を近づけることができる。中央開口部４５と排尿部の距離を近づけることにより、排尿された尿を中央開口部４５によって前後方向に拡散させて、後胴回り領域Ｓ２の吸収性シート９０に導くことができる。吸収性シート９０に体液を円滑に誘導することにより、優先的に吸収能力の高い部分に体液を集中させて、吸収能力をより有効に使用することで吸収性能をさらに高めることができる。
【０１２０】
このように構成された吸収性物品の製造方法としては、例えば、吸収体の第１層を成形する工程と、吸収体の第２層を成形する工程と、第１層と第２層とを合体させる工程と、ベルトコンベア等で吸収体等を搬送し、搬送する過程で吸収性シートや表面シート等のシート材と接合する工程と、を含む方法によって吸収性物品を製造することができる。なお、その他の工程は、公知の製造方法に従って製造し得る。
【０１２１】
また、第１層と第２層の両方に、開口部やサイドスリットを設けた場合、第１層と第２層とを重ね合わせるときの位置ずれが生じることがある。例えば、幅方向に位置ずれが生じると、左右に配置された一対のサイドスリットの幅が狭くなり、規則的な変形ができなくなったり、左右アンバランスな吸収体となり、吸収性や装着感に悪影響を及ぼしたりするおそれがある。しかし、第１層と第２層のうちいずれか一方に、開口部やサイドスリットを設けたことにより、サイドスリット等の位置ずれを防止できる。
【０１２２】
（変形例１に係る使い捨ておむつ）
次いで、変形例に係る使い捨ておむつの吸収体の構成について、図面を参照しながら説明する。なお、上述した実施形態と同様の構成については、同一の符号を付して説明を省略する。
【０１２３】
図８（ａ）及び図８（ｂ）は、変形例１に係る吸収体を示している。図８（ａ）は、平面図であって、図８（ｂ）は、幅方向中央における前後方向に沿った断面の断面図である。
【０１２４】
変形例１に係る吸収体４０Ｇは、略砂時計型の１層によって構成されている。吸収体４０Ｇは、吸収性ポリマーを有する第１領域Ｒ１と、第１領域Ｒ１よりも吸収性ポリマーの目付が低い第２領域Ｒ２を有する。なお、図８において第１領域に斜線を付して示す。吸収体における第１領域の周囲の領域は、第２領域となる。第１領域は、吸収性ポリマーを間欠的に配置することによって構成されており、臀部に当接する後胴回り領域Ｓ２の肌当接面側に配置されている。
【０１２５】
なお、第２領域は、第１領域よりも吸収性ポリマーの目付が低く構成されていればよく、吸収性ポリマーを有しない（吸収性ポリマーの目付が０ｇ／ｍ２）領域であってもよい。
【０１２６】
図８（ｃ）及び図８（ｄ）は、変形例２に係る吸収体４０Ｈを示している。図８（ｃ）は、平面図であって、図８（ｄ）は、幅方向中央における前後方向に沿った断面の断面図である。
【０１２７】
変形例２に係る吸収体４０Ｈは、略砂時計型の１層によって構成されている。第１領域は、吸収性ポリマーが周囲の吸収体よりも高い高目付領域である高吸収性コアを配置することによって構成されており、臀部に当接する後胴回り領域Ｓ２の肌当接面側に配置されている。
【０１２８】
吸収体の中央開口部の後端部は、第１領域と厚み方向において重なっている。このように案内部と第１領域とを重ねて配置することにより、排尿領域Ｓ３において吸収した体液を直接的に第１領域に導くことができる。したがって、第１領域に体液を迅速かつ確実に移行して、第１領域に配置された吸収性ポリマーの使用効率を高めることができる。
【０１２９】
また、吸収体の中央開口部の非肌当接面側に第１領域が配置されているため、中央開口部によって導かれる体液は、第１領域の非肌面側から吸収される。よって、体液が肌に付き難くなり、ウエット感を少なくすることができる。
【０１３０】
図８（ｅ）及び図８（ｆ）は、変形例３に係る吸収体４０Ｊを示している。図８（ｅ）は、平面図であって、図８（ｆ）は、幅方向中央における前後方向に沿った断面の断面図である。
【０１３１】
変形例３に係る吸収体４０Ｊは、略砂時計型の１層によって構成されている。第１領域は、吸収体の一部分の吸収性ポリマーの目付けを高くすることによって形成されており、臀部に当接する後胴回り領域Ｓ２に配置されている。
【０１３２】
なお、変形例３のように第１領域が吸収体と一体となっている構成においては、例えば以下の方法によって、吸収性ポリマー重量比率を測定することができる。
吸収体を、厚みが1/2になるように肌当接面側の吸収体と非肌当接面側の吸収体とに分割する。肌当接面側の吸収体について、ポリマーとパルプ繊維をふるい等によって分離し、ポリマー重量C(g)とパルプ繊維重量D(g)の各重量を測定する。分離の手段は両者がほぼ完全に分離できればよく、種々の手段を用いることができる。例えば、粒径の差を利用し、目の細かいメッシュでふるい分けしたり、重量の差を利用したりして、パルプのみが飛散するような風量下に置いて、飛散前後の重量を測定しても良い。
吸収性ポリマー重量比率（%）＝ポリマー重量(C)／（ポリマー重量(C)＋パルプ繊維重量(D)）×１００によって算出できる。
【０１３３】
図８（ｇ）及び図８（ｈ）は、変形例４に係る吸収体４０Ｋを示している。図８（ｇ）は、平面図であって、図８（ｈ）は、幅方向中央における前後方向に沿った断面の断面図である。
【０１３４】
変形例４に係る吸収体４０Ｋは、略砂時計型の１層によって構成されている。第１領域は、吸収性ポリマーを間欠的に配置することによって構成されている。吸収体には、案内部及び曲部として機能する低目付領域４７が前後方向に沿って形成されている。
【０１３５】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【０１３６】
例えば、上述した実施形態では、パンツ型の使い捨ておむつとして説明したが、本発明は、これに限定されるものではなく、オープン型の使い捨ておむつ、失禁用パッド及び生理用ナプキンなどに適用してもよい。
【０１３７】
上述した実施形態では、スリット、弾性材又は剛性の変化する境界部分を用いて吸収体が曲がるよう構成したが、吸収体の厚さを薄くしたり、吸収体にエンボス加工を施したりすることによって吸収体が曲がるよう構成してもよい。
【０１３８】
また、本実施の形態に係る吸収性物品は、側端部弾性材４９を備えているが、側端部弾性材４９を備えていなくてもよい。また、防漏壁は、股間からの横漏れを防ぐために起立部(防漏弾性材５３)有しているが、必ずしも防漏弾性材５３を有していなくてもよい。
【０１３９】
本実施形態では、吸収体４０は、第１層４１と第２層４２との２層構造であるが、本発明に係る着用物品の吸収体４０は、１層のみによって構成されていてもよいし、３層以上で構成されていてもよい。
【０１４０】
また、本実施の形態では、中央曲部と第１曲部とが設けられているが、第１曲部よりも幅方向外側に第２曲部や第３曲部等、複数の曲部を設けてもよい。
【０１４１】
更に、本実施の形態では、レッグギャザーは吸収体を横断しないように設けられているが、左脚用の脚回り弾性材と右脚用の脚回り弾性材とが連続して吸収体を横断するように設けてもよい。
【０１４２】
また、変形例３において、第１領域の例として１層の吸収体の一部分の吸収性ポリマーの目付を高くすることによって形成する例を示したが、図８で示したように、吸収体の幅方向中央部における上側に吸収性ポリマーを配置したり、幅方向にみてほぼ全幅に吸収性ポリマーを配置したり、吸収体の断面でみて吸収体の表面側に吸収性ポリマーを散布してもよい。
【０１４３】
このように、本発明は、ここでは記載していない様々な実施の形態などを含むことは勿論である。従って、本発明の技術的範囲は、上述の説明から妥当な特許請求の範囲に係る発明特定事項によってのみ定められるものである。
【符号の説明】
【０１４４】
１…使い捨ておむつ（使い捨て着用物品）、  ３…ウエストギャザー、  ３Ａ…ウエスト弾性材、  ４，４’…前胴回り側縁部、  ５…レッグギャザー、  ５Ｆ…前脚回り弾性材、  ５Ｒ……後脚回り弾性材、  ６，６’…後胴回り縁部、８…中間股下縁部、  １０…表面シート、  １５…セカンドシート、３０…吸収体裏面被覆シート、  ４０，４０Ｇ，４０Ｈ,４０Ｊ，４０Ｋ…吸収体、４１…第１層、  ４１Ｗ…内側端部、  ４２…第２層、  ４２Ｗ…外側端部、  ４３…弾性材被覆シート、  ４４…中央弾性材、  ４５…中央開口部、  ４６…第１サイドスリット、  ４７…低目付領域、  ４９…側端部弾性材、  ５３…防漏弾性材、  ６０…サイドシート、７０Ｆ…前側外装トップシート、７０Ｒ…後側外装トップシート、８０Ｆ…前側外装バックシート、８０Ｒ…後側外装バックシート、  ９０…吸収性シート、  ９２、９３…液透過性シート、  ９６…吸収性ポリマー配置領域、  ９７…吸収性ポリマー非配置領域、  １００…外装センターシート、  １１０…中間領域、Ｒ１…第１領域、  Ｒ２…第２領域、Ｓ１…前胴回り領域、Ｓ２…後胴回り領域、Ｓ３…排尿領域  
【図１】
0005848069.tif 000002
【図２】
0005848069.tif 000003
【図３】
0005848069.tif 000004
【図４】
0005848069.tif 000005
【図５】
0005848069.tif 000006
【図６】
0005848069.tif 000007
【図７】
0005848069.tif 000008
【図８】
0005848069.tif 000009